【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
無線通信のための方法であって、
複数のバーストを備えた低速付随制御チャネル（ＳＡＣＣＨ）ブロックを受信することと、
前記低速付随性制御チャネルブロックが完全性チェックに失敗したことを決定することと、
前記低速付随制御チャネルブロックにおける前記バーストの１つと複数の記憶された低速付随制御チャネルブロックの各々の一部との間の相関レベルを決定することと、
最大の相関レベルに基づいて、前記記憶された低速付随制御チャネルブロックを設定することと、
を備え、前記最大の相関レベルに基づいて、前記記憶された低速付随制御チャネルブロックを設定することは、前記最大の相関レベルがしきい値より下の場合、前記ＳＡＣＣＨブロックが成功裡に受信されなかったことを送信デバイスに知らせることを備える、方法。
【請求項２】
前記完全性チェックは巡回冗長チェックである、請求項１に記載の方法。
【請求項３】
前記記憶された低速付随制御チャネルブロックは、以前に巡回冗長チェックをパスした、請求項１に記載の方法。
【請求項４】
前記方法は、無線通信デバイスによって実行される、請求項１に記載の方法。
【請求項５】
前記方法は、基地局によって実行される、請求項１に記載の方法。
【請求項６】
前記最大の相関レベルに基づいて、前記記憶された低速付随制御チャネルブロックを設定することは、前記最大の相関レベルが前記しきい値より上である場合、前記記憶された低速付随制御チャネルブロックを再利用することを備える、請求項１に記載の方法。
【請求項７】
前記相関レベルを決定することは、前記低速付随制御チャネルブロックにおいて最も高い品質をもったバーストを選択することを備える、請求項１に記載の方法。
【請求項８】
前記最も高い品質をもったバーストは、最も高い推定された信号対ノイズ比を有する、請求項７に記載の方法。
【請求項９】
前記記憶された低速付随制御チャネルブロックの前記一部は、前記バーストと同じタイプのものである、請求項７に記載の方法。
【請求項１０】
前記記憶された低速付随制御チャネルブロックの前記一部がシステム情報とメジャーメント情報との一方を備えることが決定される、請求項９に記載の方法。
【請求項１１】
ハンドオーバを開始することと、
前記記憶された低速付随制御チャネルブロックを、テンポラリ低速付随制御チャネルブロックにセーブすることと、
前記記憶された低速付随制御チャネルブロックをフラッシュすることと、
をさらに備える、請求項１に記載の方法。
【請求項１２】
ハンドオーバの失敗に応じて、前記テンポラリ低速付随制御チャネルブロックを、前記記憶された低速付随制御チャネルブロックにセーブすることをさらに備える、請求項１１に記載の方法。
【請求項１３】
現在の電力制御レベルと現在のタイミング進度を再利用することをさらに備え、
前記現在の電力制御レベルと前記現在のタイミング進度は、巡回冗長チェックをパスした、以前に受信された低速付随制御チャネルブロックに基づく、
請求項１に記載の方法。
【請求項１４】
無線通信のための装置であって、
プロセッサと、
前記プロセッサと電気的通信にあるメモリと、
前記メモリに記憶された命令と、
を備え、前記命令は、前記プロセッサによって、
複数のバーストを備えた低速付随制御チャネル（ＳＡＣＣＨ）ブロックを受信することと、
前記低速付随性制御チャネルブロックが完全性チェックに失敗したことを決定することと、
前記低速付随制御チャネルブロックにおける前記バーストの１つと複数の記憶された低速付随制御チャネルブロックの各々の一部との間の相関レベルを決定することと、
最大の相関レベルに基づいて、前記記憶された低速付随制御チャネルブロックを設定することと、
を実行可能であり、前記最大の相関レベルに基づいて、前記記憶された低速付随制御チャネルブロックを設定することは、前記最大の相関レベルがしきい値より下の場合、前記ＳＡＣＣＨブロックが成功裡に受信されなかったことを送信デバイスに知らせることを備える、装置。
【請求項１５】
前記完全性チェックは巡回冗長チェックである、請求項１４に記載の装置。
【請求項１６】
前記記憶された低速付随制御チャネルブロックは、以前に巡回冗長チェックをパスした、請求項１４に記載の装置。
【請求項１７】
前記装置は、無線通信デバイスである、請求項１４に記載の装置。
【請求項１８】
前記装置は、基地局である、請求項１４に記載の装置。
【請求項１９】
前記最大の相関レベルに基づいて、前記記憶された低速付随制御チャネルブロックを設定することを実行可能である前記命令は、前記最大の相関レベルが前記しきい値より上である場合、前記記憶された低速付随制御チャネルブロックを再利用することを実行可能である命令を備える、請求項１４に記載の装置。
【請求項２０】
前記相関レベルを決定することは、前記低速付随制御チャネルブロックにおいて最も高い品質をもったバーストを選択することを備える、請求項１４に記載の装置。
【請求項２１】
前記最も高い品質をもったバーストは、最も高い推定された信号対ノイズ比を有する、請求項２０に記載の装置。
【請求項２２】
前記記憶された低速付随制御チャネルブロックの前記一部は、前記バーストと同じタイプのものである、請求項２０に記載の装置。
【請求項２３】
前記記憶された低速付随制御チャネルブロックの前記一部がシステム情報とメジャーメント情報との一方を備えることが決定される、請求項２２に記載の装置。
【請求項２４】
前記命令は
ハンドオーバを開始することと、
前記記憶された低速付随制御チャネルブロックを、テンポラリ低速付随制御チャネルブロックにセーブすることと、
前記記憶された低速付随制御チャネルブロックをフラッシュすることと、をさらに実行可能である、請求項１４に記載の装置。
【請求項２５】
前記命令は、
ハンドオーバの失敗に応じて、前記テンポラリ低速付随制御チャネルブロックを、前記記憶された低速付随制御チャネルブロックにセーブすること
をさらに実行可能である、請求項２４に記載の装置。
【請求項２６】
前記命令は、現在の電力制御レベルと現在のタイミング進度を再利用することをさらに実行可能であり、
前記現在の電力制御レベルと前記現在のタイミング進度は、巡回冗長チェックをパスした、以前に受信された低速付随制御チャネルブロックに基づく、
請求項１４に記載の装置。
【請求項２７】
無線通信のためのコンピュータプログラム製品であって、
前記コンピュータプログラム製品は、命令を有する非一時的なコンピュータ可読媒体を備え、
前記命令は、
無線通信デバイスに、複数のバーストを備えた低速付随制御チャネル（ＳＡＣＣＨ）ブロックを受信させるためのコードと、
前記無線通信デバイスに、前記低速付随性制御チャネルブロックが完全性チェックに失敗したことを決定させるためにコードと、
前記無線通信デバイスに、前記低速付随制御チャネルブロックにおける前記バーストの１つと複数の記憶された低速付随制御チャネルブロックの各々の一部との間の相関レベルを決定させるためのコードと、
前記無線通信デバイスに、最大の相関レベルに基づいて、前記記憶された低速付随制御チャネルブロックを設定させるためのコードと、
を備え、前記最大の相関レベルに基づいて、前記記憶された低速付随制御チャネルブロックを設定することは、前記最大の相関レベルがしきい値より下の場合、前記ＳＡＣＣＨブロックが成功裡に受信されなかったことを送信デバイスに知らせることを備える、コンピュータプログラム製品。
【請求項２８】
前記無線通信デバイスに、前記最大の相関レベルに基づいて、前記記憶された低速付随制御チャネルブロックを設定させるためのコードは、前記最大の相関レベルが前記しきい値より上である場合、前記無線通信デバイスに、前記記憶された低速付随制御チャネルブロックを再利用させるためのコードを備える、請求項２７に記載のコンピュータプログラム製品。
【請求項２９】
前記命令は、
前記無線通信デバイスに、ハンドオーバを開始させるためのコードと、
前記無線通信デバイスに、前記記憶された低速付随制御チャネルブロックを、テンポラリ低速付随制御チャネルブロックにセーブさせるためのコードと、
前記無線通信デバイスに、前記記憶された低速付随制御チャネルブロックをフラッシュさせるためのコードと、
をさらに備える、請求項２７に記載の前記非一時的なコンピュータ可読媒体を備えたコンピュータプログラム製品。
【請求項３０】
前記命令は、
ハンドオーバの失敗に応じて、前記無線通信デバイスに、前記テンポラリ低速付随制御チャネルブロックを、前記記憶された低速付随制御チャネルブロックにセーブさせるためのコードをさらに備える、請求項２９に記載の前記非一時的なコンピュータ可読媒体を備えたコンピュータプログラム製品。